【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
光束を出射する光源と、
前記光源から出射された光束で感光体を主走査方向に走査する光走査手段と、
前記主走査方向において、それぞれが異なる位置に配置されている少なくとも３つの光検知手段と、
前記光源と前記少なくとも３つの光検知手段との間の光路に配置され、電圧を印加することにより前記光走査手段によって走査された光束が前記感光体に向かわない様に、かつ、前記少なくとも３つ光検知手段に入射する様に、前記光束を偏向する電気光学結晶構造体と、
前記少なくとも３つの光検知手段の検知結果に基づいて前記光束の照射位置を制御する制御手段と、を備え、
前記少なくとも３つの光検知手段は、隣接して配置されている２つの光検知手段の組に分けられ、前記感光体上の主走査方向の走査範囲は、それぞれが前記２つの光検知手段の組に対応する区間に分けられ、前記制御手段は、各組の２つの光検知手段の出力を用いて前記感光体上の対応する区間に対する光束の照射位置を制御することを特徴とする光走査装置。
【請求項２】
前記電気光学結晶構造体は、前記光源と前記光走査手段との間の光路に配置されていることを特徴とする請求項１に記載の光走査装置。
【請求項３】
前記少なくとも３つの光検知手段に含まれる３つの光検知手段はそれぞれ、前記感光体への光束の光路から副走査方向に離れた位置であって、前記光走査手段による走査範囲の中央部及び両端部に設けられていることを特徴とする請求項１に記載の光走査装置。
【請求項４】
前記３つの光検知手段は、前記電気光学結晶構造体により偏向され、前記光走査手段により主走査方向に走査される光束が、前記３つの光検知手段のそれぞれを通過するタイミングを検知することを特徴とする請求項３に記載の光走査装置。
【請求項５】
前記電気光学結晶構造体は、電圧印加により屈折率が変化する特性を有する電気光学結晶であって、
前記電気光学結晶に印加される電圧を制御する電圧制御手段を更に備えることを特徴とする請求項１に記載の光走査装置。
【請求項６】
前記電圧制御手段は、前記電気光学結晶に取り付けられた一対の電極部を有し、
前記一対の電極部は、前記電気光学結晶の内部に、前記電気光学結晶を通過する光束の進路方向に対して直角に副走査方向の電界を形成することを特徴とする請求項５に記載の光走査装置。
【請求項７】
前記電気光学結晶は、カリウム、タンタル、ニオブ及び酸素を含むことを特徴とする請求項５に記載の光走査装置。
【請求項８】
前記電気光学結晶構造体は、画像形成装置が複数枚単位で画像処理をするときに、１単位の画像に対応する静電潜像形成の終了時から次の１単位の画像に対応する静電潜像形成の開始時までの間に、前記光源から出射された光束を偏向することを特徴とする請求項１に記載の光走査装置。
【請求項９】
前記光束のＯＮ／ＯＦＦ時間を制御する信号に対応して、前記光源から出射される光束の駆動を制御する光束駆動制御手段を更に備えることを特徴とする請求項１に記載の光走査装置。
【請求項１０】
光走査装置を有する画像形成装置であって、
前記光走査装置が、
光束を出射する光源と、
前記光源から出射された光束で感光体を主走査方向に走査する光走査手段と、
前記主走査方向において、それぞれが異なる位置に配置されている少なくとも３つの光検知手段と、
前記光源と前記少なくとも３つの光検知手段との間の光路に配置され、電圧を印加することにより前記光走査手段によって走査された光束が前記感光体に向かわない様に、かつ、前記少なくとも３つ光検知手段に入射する様に、前記光束を偏向する電気光学結晶構造体と、
前記少なくとも３つの光検知手段の検知結果に基づいて前記光束の照射位置を制御する制御手段と、を備え、
前記少なくとも３つの光検知手段は、隣接して配置されている２つの光検知手段の組に分けられ、前記感光体上の主走査方向の走査範囲は、それぞれが前記２つの光検知手段の組に対応する区間に分けられ、前記制御手段は、各組の２つの光検知手段の出力を用いて前記感光体上の対応する区間に対する光束の照射位置を制御することを特徴とする画像形成装置。
【請求項１１】
前記電気光学結晶構造体は、電圧印加により屈折率が変化する特性を有する電気光学結晶であって、
前記電気光学結晶に印加される電圧を制御する電圧制御手段を更に備えることを特徴とする請求項１０に記載の画像形成装置。
【請求項１２】
前記電気光学結晶構造体は、前記画像形成装置が複数枚単位で画像処理をするときに、１単位の画像に対応する静電潜像形成の終了時から次の１単位の画像に対応する静電潜像形成の開始時までの間に、前記光源から出射された光束を偏向することを特徴とする請求項１０に記載の画像形成装置。
【請求項１３】
前記複数の光検知手段の検知結果に基づく前記光束のＯＮ／ＯＦＦ時間を制御する信号を発生することによって、前記感光体上における光束の主走査方向の照射位置を制御する走査制御手段と、
前記光束のＯＮ／ＯＦＦ時間を制御する信号に対応して、前記光源から出射される光束の駆動を制御する光束駆動制御手段とを更に備えることを特徴とする請求項１０に記載の画像形成装置。
【手続補正２】
【補正対象書類名】明細書
【補正対象項目名】００１１
【補正方法】変更
【補正の内容】
【００１１】
かかる課題を解決するために、本発明の光走査装置は、光束を出射する光源と、前記光源から出射された光束で感光体を主走査方向に走査する光走査手段と、前記主走査方向において、それぞれが異なる位置に配置されている少なくとも３つの光検知手段と、前記光源と前記少なくとも３つの光検知手段との間の光路に配置され、電圧を印加することにより前記光走査手段によって走査された光束が前記感光体に向かわない様に、かつ、前記少なくとも３つ光検知手段に入射する様に、前記光束を偏向する電気光学結晶構造体と、前記少なくとも３つの光検知手段の検知結果に基づいて前記光束の照射位置を制御する制御手段と、を備え、前記少なくとも３つの光検知手段は、隣接して配置されている２つの光検知手段の組に分けられ、前記感光体上の主走査方向の走査範囲は、それぞれが前記２つの光検知手段の組に対応する区間に分けられ、前記制御手段は、各組の２つの光検知手段の出力を用いて前記感光体上の対応する区間に対する光束の照射位置を制御することを特徴とする。
【手続補正３】
【補正対象書類名】明細書
【補正対象項目名】００１２
【補正方法】変更
【補正の内容】
【００１２】
ここで、前記電気光学結晶構造体は、前記光源と前記光走査手段との間の光路に配置されている。また、前記少なくとも３つの光検知手段に含まれる３つの光検知手段はそれぞれ、前記感光体への光束の光路から副走査方向に離れた位置であって、前記光走査手段による走査範囲の中央部及び両端部に設けられている。また、前記３つの光検知手段は、前記電気光学結晶構造体により偏向され前記光走査手段により主走査方向に走査される光束が、前記３つの光検知手段のそれぞれを通過するタイミングを検知する。また、前記電気光学結晶構造体は、電圧印加により屈折率が変化する特性を有する電気光学結晶であって、前記電気光学結晶に印加される電圧を制御する電圧制御手段を更に備える。また、前記電圧制御手段は、前記電気光学結晶に取り付けられた一対の電極部を有し、前記一対の電極部は、前記電気光学結晶の内部に、前記電気光学結晶を通過する光束の進路方向に対して直角に副走査方向の電界を形成する。また、前記電気光学結晶は、カリウム、タンタル、ニオブ及び酸素を含む。また、前記電気光学結晶構造体は、画像形成装置が複数枚単位で画像処理をするときに、１単位の画像に対応する静電潜像形成の終了時から次の１単位の画像に対応する静電潜像形成の開始時までの間に、前記光源から出射された光束を偏向する。また、前記光束のＯＮ／ＯＦＦ時間を制御する信号に対応して、前記光源から出射される光束の駆動を制御する光束駆動制御手段を更に備える。
【手続補正４】
【補正対象書類名】明細書
【補正対象項目名】００１３
【補正方法】変更
【補正の内容】
【００１３】
また、本発明の画像形成装置は、光走査装置を有する画像形成装置であって、前記光走査装置が、光束を出射する光源と、前記光源から出射された光束で感光体を主走査方向に走査する光走査手段と、前記主走査方向において、それぞれが異なる位置に配置されている少なくとも３つの光検知手段と、前記光源と前記少なくとも３つの光検知手段との間の光路に配置され、電圧を印加することにより前記光走査手段によって走査された光束が前記感光体に向かわない様に、かつ、前記少なくとも３つ光検知手段に入射する様に、前記光束を偏向する電気光学結晶構造体と、前記少なくとも３つの光検知手段の検知結果に基づいて前記光束の照射位置を制御する制御手段と、を備え、前記少なくとも３つの光検知手段は、隣接して配置されている２つの光検知手段の組に分けられ、前記感光体上の主走査方向の走査範囲は、それぞれが前記２つの光検知手段の組に対応する区間に分けられ、前記制御手段は、各組の２つの光検知手段の出力を用いて前記感光体上の対応する区間に対する光束の照射位置を制御することを特徴とする。
【手続補正５】
【補正対象書類名】明細書
【補正対象項目名】００１４
【補正方法】変更
【補正の内容】
【００１４】
ここで、前記電気光学結晶構造体は、電圧印加により屈折率が変化する特性を有する電気光学結晶であって、前記電気光学結晶に印加される電圧を制御する電圧制御手段を更に備える。また、前記電気光学結晶構造体は、前記画像形成装置が複数枚単位で画像処理をするときに、１単位の画像に対応する静電潜像形成の終了時から次の１単位の画像に対応する静電潜像形成の開始時までの間に、前記光源から出射された光束を偏向する。また、前記複数の光検知手段の検知結果に基づく前記光束のＯＮ／ＯＦＦ時間を制御する信号を発生することによって、前記感光体上における光束の主走査方向の照射位置を制御する走査制御手段と、前記光束のＯＮ／ＯＦＦ時間を制御する信号に対応して、前記光源から出射される光束の駆動を制御する光束駆動制御手段とを更に備える。